(57)【要約】【課題】転炉のガスダクト内の粉塵堆積物の状態を容易に検出できるようにした粉塵堆積物の検出方法及びその検出装置を提供する。【解決手段】転炉１の上方に配置されて該転炉１からのガスが通過する転炉ＯＧダクト１内の粉塵堆積物を検出する検出方法であって、転炉ＯＧダクト１１内の壁面に配置された温度計２０で該転炉ＯＧダクト１１内の温度を測定し、吹錬の開始後に温度計２０で測定される測定温度の温度変化、及び予め設定した閾値と測定温度との関係の少なくとも一方に基づいて、転炉ＯＧダクト１１内の粉塵堆積物の状態を判定する。【選択図】図１
2014051684.tif 000002
【特許請求の範囲】
【請求項１】
転炉の上方に配置されて該転炉からのガスが通過するガスダクト内の粉塵堆積物を検出する検出方法であって、
前記ガスダクト内の壁面に配置された温度計で該ガスダクト内の温度を測定し、
吹錬の開始後に前記温度計で測定される測定温度の温度変化、及び予め設定した閾値と測定温度との関係の少なくとも一方に基づいて、前記ガスダクト内の前記粉塵堆積物の状態を判定することを特徴とする粉塵堆積物の検出方法。
【請求項２】
前記温度計の配置位置は、前記ガスダクトの傾斜部であることを特徴とする請求項１に記載の粉塵堆積物の検出方法。
【請求項３】
前記温度計は前記ガスダクト内の壁面に沿って複数配置されており、
前記複数の温度計のうちの予め設定した個数以上の温度計での測定温度が予め設定した吹錬開始温度条件を満たすと、前記吹錬の開始を検出することを特徴とする請求項１又は請求項２に記載の粉塵堆積物の検出方法。
【請求項４】
前記粉塵堆積物の状態の判定は、前記吹錬毎に前記温度計で測定される測定温度の温度変化、及び予め設定した閾値と測定温度との関係の少なくとも一方の予め設定した期間の平均値に基づいて行うことを特徴とする請求項１から請求項３の何れか一項に記載の粉塵堆積物の検出方法。
【請求項５】
転炉の上方に配置されて該転炉からのガスが通過するガスダクト内の粉塵堆積物を検出する検出装置であって、
前記ガスダクト内の壁面に配置された温度計と、
吹錬の開始後に前記温度計で測定される測定温度の温度変化及び予め設定した閾値に対する測定温度の少なくとも一方に基づいて、前記ガスダクト内の前記粉塵堆積物の状態を判定する判定部と、を備えることを特徴とする粉塵堆積物の検出装置。
【請求項６】
前記温度計の配置位置は、前記ガスダクトの傾斜部であることを特徴とする請求項５に記載の粉塵堆積物の検出装置。
【請求項７】
前記温度計は前記ガスダクト内の壁面に沿って複数配置されており、
前記複数の温度計のうちの予め設定した個数以上の温度計での測定温度が予め設定した吹錬開始温度条件を満たすと、前記吹錬の開始を検出する吹錬開始検出部、をさらに備えることを特徴とする請求項５又は請求項６に記載の粉塵堆積物の検出装置。
【請求項８】
前記判定部は、前記吹錬毎に前記温度計で測定される測定温度の温度変化、及び予め設定した閾値と測定温度との関係の少なくとも一方の予め設定した期間の平均値に基づいて、前記粉塵堆積物の状態の判定を行うことを特徴とする請求項５から請求項７の何れか一項に記載の粉塵堆積物の検出装置。
【発明の詳細な説明】
【技術分野】
【０００１】
本発明は、粉塵堆積物の検出方法及びその検出装置に関し、特に、ガスダクト内の粉塵堆積物の状態を容易に検出できるようにした粉塵堆積物の検出方法及びその検出装置に関する。
【背景技術】
【０００２】
転炉では、炉内に溶銑を装入したのち、例えば炉口からランスを挿入し、溶銑浴面に近づけて酸素ガスを吹き付けると同時に、炉底から不活性ガスを吹き込み、浴を撹拌しつつ吹錬を開始する。吹錬初期は溶銑中の炭素濃度が高いので、吹き込まれた酸素は炭素と効率よく反応し、一酸化炭素となって脱炭が進む。また、脱炭により発生した一酸化炭素等のガス、即ち、オフガス（以下、ＯＧ）は、転炉の上方に配置されたＯＧダクトを通して吸引される。ＯＧダクトは、一般に上部から酸素吸込みランスを装入するため、例えば特許文献１に開示されているように、転炉直上から傾斜しながら上方に延びた構造となっている（例えば、特許文献１参照。）。
【先行技術文献】
【特許文献】
【０００３】
【特許文献１】特開平０９−１１８９０８号公報
【発明の概要】
【発明が解決しようとする課題】
【０００４】
ところで、転炉の吹錬処理は大量の粉塵、溶鋼を飛散させ、それらはＯＧダクトにより吸引されるが、その過程でＯＧダクト内の壁面に粉塵の堆積や、溶鋼の付着などが発生しやすい。壁面に粉塵等が大量に堆積すると、それらが崩落して操業中の転炉に流入したり、或いは、転炉が傾転中の場合は、転炉前の作業床に高温の粉塵が噴出したりする可能性がある。
【０００５】
しかし、従来は、ＯＧダクト内の粉塵堆積物の有無を確認するには、ＯＧダクトに取り付けられたマンホールを開放してＯＧダクトの内部を目視点検するしか方法がなかった。転炉工場は一般的に２４時間操業であり、マンホールを開放するには、操業を長時間停止する必要がある。そのため、点検だけのためにマンホールを開放することは現実的でなく、通常は行われない。
【０００６】
また、粉塵堆積物の有無を確認する手段として、カメラによる監視が考えられるが、ＯＧダクトは、高濃度の粉塵を含んだ１０００℃前後の高温ガスが流れる設備である。カメラによる監視を可能とするために、ＯＧダクトにガラス窓等を取り付けた場合、ガラス窓等の破損、劣化が激しく、光学系の機器は使用に耐えない可能性が高い。また吹錬時のオフガスは高濃度のＣＯガスを含有するため、操業しながらガラス窓等を保守点検する作業は、安全性の確保が難しくその実施は困難である。
そこで、この発明はこのような事情に鑑みてなされたものであって、転炉のガスダクト内の粉塵堆積物の状態を容易に検出できるようにした粉塵堆積物の検出方法及びその検出装置を提供することを目的とする。
【課題を解決するための手段】
【０００７】
上記課題を解決するために、本発明の一態様に係る粉塵堆積物の検出方法は、転炉の上方に配置されて該転炉からのガスが通過するガスダクト内の粉塵堆積物を検出する検出方法であって、前記ガスダクト内の壁面に配置された温度計で該ガスダクト内の温度を測定し、吹錬の開始後に前記温度計で測定される測定温度の温度変化、及び予め設定した閾値と測定温度との関係の少なくとも一方に基づいて、前記ガスダクト内の前記粉塵堆積物の状態を判定することを特徴とする。ここで、「測定温度の温度変化」として、例えば昇温速度が挙げられる。また、「予め設定した閾値」として、例えば、ガスダクト内の壁面に粉塵堆積物がほとんど堆積していない時（即ち、通常吹錬時）の吹錬開始後温度：ＴｅｍｐＨが挙げられる。
【０００８】
また、上記の粉塵堆積物の検出方法において、前記温度計の配置位置は、前記ガスダクトの傾斜部であることを特徴としてもよい。
また、上記の粉塵堆積物の検出方法において、前記温度計は前記ガスダクト内の壁面に沿って複数配置されており、前記複数の温度計のうちの予め設定した個数以上の温度計での測定温度が予め設定した吹錬開始温度条件を満たすと、前記吹錬の開始を検出することを特徴としてもよい。ここで、「予め設定した吹錬開始温度条件」として、例えば、吹錬開始前温度：ＴｅｍｐＬ以下から吹錬開始後温度：ＴｅｍｐＨ以上への温度変化が挙げられる。
また、上記の粉塵堆積物の検出方法において、前記粉塵堆積物の状態の判定は、前記吹錬毎に前記温度計で測定される測定温度の温度変化、及び予め設定した閾値と測定温度との関係の少なくとも一方の予め設定した期間の平均値に基づいて行うことを特徴としてもよい。
【０００９】
本発明の別の態様に係る粉塵堆積物の検出装置は、転炉の上方に配置されて該転炉からのガスが通過するガスダクト内の粉塵堆積物を検出する検出装置であって、前記ガスダクト内の壁面に配置された温度計と、吹錬の開始後に前記温度計で測定される測定温度の温度変化及び予め設定した閾値に対する測定温度の少なくとも一方に基づいて、前記ガスダクト内の前記粉塵堆積物の状態を判定する判定部と、を備えることを特徴とする。
また、上記の粉塵堆積物の検出装置において、前記温度計の配置位置は、前記ガスダクトの傾斜部であることを特徴としてもよい。
【００１０】
また、上記の粉塵堆積物の検出装置において、前記温度計は前記ガスダクト内の壁面に沿って複数配置されており、前記複数の温度計のうちの予め設定した個数以上の温度計での測定温度が予め設定した吹錬開始温度条件を満たすと、前記吹錬の開始を検出する吹錬開始検出部、をさらに備えることを特徴としてもよい。
また、上記の粉塵堆積物の検出装置において、前記判定部は、前記吹錬毎に前記温度計で測定される測定温度の温度変化、及び予め設定した閾値と測定温度との関係の少なくとも一方の予め設定した期間の平均値に基づいて、前記粉塵堆積物の状態の判定を行うことを特徴としてもよい。
【発明の効果】
【００１１】
本発明の一態様によれば、転炉のガスダクト内の壁面に配置された温度計で、吹錬開始時の昇温速度と到達温度を測定することができる。そして、これら各値を吹錬毎に測定し、その測定値を基準値や閾値と比較して、その傾向（即ち、経時変化）を管理することができる。これにより、転炉のガスダクトのマンホールを開放して内部を目視で点検することなく、ガスダクト内の粉塵堆積物の状態を容易に検出することができる。このため、粉塵堆積物が大量に崩落して操業等に支障が生じる前に、ガスダクト内を適切なタイミングで清掃することが可能になる。
【図面の簡単な説明】
【００１２】
【図１】第１実施形態に係る粉塵堆積物の検出方法に好適な転炉設備１００の構成例を示す図。
【図２】温度計２０の配置例を示す図。
【図３】温度計２０により測定される温度曲線の一例を示す図。
【図４】第１実施形態に係る粉塵堆積物の検出方法の手順を示すフローチャート図。
【図５】粉塵堆積物５１が堆積している状態を示す図。
【図６】粉塵堆積物５１の有無と温度曲線との関係を示す図。
【図７】第１実施形態の変形例を示す図。
【図８】第２実施形態に係る粉塵堆積物の検出装置２００の構成例を示すブロック図。
【発明を実施するための形態】
【００１３】
本発明の実施形態を図面を参照しながら説明する。なお、以下に説明する各図において、同一の構成を有する部分には同一の符号を付し、その繰り返しの説明は省略する。
＜第１実施形態＞
（転炉設備の構成）
図１は、本発明の第１実施形態に係る粉塵堆積物の検出方法に好適な転炉設備１００の構成例を示す模式図である。まず始めに、転炉設備１００の構成例について説明する。
図１に示すように、転炉設備１００は、例えば、転炉１と、転炉１の上部（即ち、炉口）に取り付けられたランス３と、転炉１の底部に取り付けられたガス供給管５と、転炉１の上部に配置されてオフガス（即ち、ＯＧ）を吸引するための、転炉ＯＧダクト１１と、転炉ＯＧダクト１１の鉄皮（以下、ダクト鉄皮）１１ａの外側に取り付けられた冷却装置１７と、転炉ＯＧダクト１１を通してＯＧを吸引すると共に吸引したＯＧ中の粉塵を集めて除去する集塵機１９と、を備える。転炉１は傾動可能であり、その内部に溶銑が装入される。また、冷却装置１７は、例えば冷媒として水を循環させる水冷管である。
【００１４】
図１に示すように、転炉ＯＧダクト１１は鉛直方向（例えば、図１のＹ軸方向）に対して傾斜した傾斜部を有する。上述したように、この傾斜部の内側の底面１１ｂに粉塵堆積物や、溶鋼の付着などが発生しやすい。そこで、本発明の第１実施形態では、この傾斜部の内側の底面１１ｂに予め、底面１１ｂ付近の温度を測定可能な接触式温度計（以下、温度計）２０を取り付けておく。温度計２０は、例えば熱電対を用いるのが容易且つ安価であるため好ましい。温度計２０として熱電対を用いる場合は、その測温部２０ａをダクト鉄皮１１ａの内側に出し、その端子部２０ｂをダクト鉄皮１１ａの外側に出すように、熱電対を鉄皮貫通部に通す。そして、鉄皮貫通部に通された熱電対を例えばコンプレッション・フィッティング等でダクト鉄皮１１ａに固定しておく。
【００１５】
この温度計２０は、傾斜部の底面１１ｂに沿って複数設けることが好ましい。例えば図１に示すように、複数の温度計２０は、底面１１ｂの転炉１側の端部からその反対側の端部にかけて、等間隔に配置するとよい。これにより、粉塵堆積物等が発生し易い底面１１ｂの、長さ方向（即ち、ＯＧガスの吸引方向）に沿う広い範囲で、温度を測定することが可能となる。また、例えば図２に示すように、複数の温度計２０は、平面視で底面１１ｂの長さ方向及び、これと直交する幅方向にそれぞれ等間隔に配置してもよい。
【００１６】
（検出方法）
次に、上記の転炉設備１００において粉塵堆積物を検出する方法について説明する。
図３は、温度計２０により測定される温度曲線の一例を示す図である。
本発明の第１実施形態では、転炉ＯＧダクト１１に配置された複数の温度計２０を用いて、転炉ＯＧダクト１１内の温度を一定周期：Ｔｉｍｅ１で測定する。そして、一定周期：Ｔｉｍｅ１毎の測定値から転炉１での吹錬開始を検出すると共に、吹錬開始直後の昇温速度：ＴｅｍｐＶ−ｎと、昇温の到達温度：ＴｅｍｐＡ−ｎとを測定する。なお、符号の末尾に記載した「−ｎ」は、複数の温度計２０のうちのｎ番目の温度計で測定されたことを意味する。以下、図３を参照して、より具体的に説明する。
【００１７】
［基準値、閾値の設定］
吹錬開始時の昇温速度の基準値として、基準昇温速度：ＴｅｍｐＶを設定する。この基準昇温速度：ＴｅｍｐＶは、転炉ＯＧダクト１１に粉塵堆積物がほとんど堆積していないとき（即ち、通常吹錬時）に、吹錬開始直後の一定時間：Ｔｉｍｅ１×Ｍの間に通常測定される昇温速度［℃／（Ｔｉｍｅ１×Ｍ）］である。一定時間：Ｔｉｍｅ１×Ｍは、一定周期：Ｔｉｍｅ１のＭ倍（Ｍ：１以上の整数）の時間である。基準昇温速度：ＴｅｍｐＶは、複数の温度計２０間で共通の値とする。
【００１８】
なお、基準昇温速度：ＴｅｍｐＶには、例えば昇温速度の過去の測定値であって、通常吹錬時の測定値、若しくは通常吹錬時の複数の測定値の平均値を用いるとよい。特に、測定値の平均値：ＴｅｍｐＶ．ａｖｅを基準昇温速度とする場合は、ＴｅｍｐＶ．ａｖｅの標準偏差σを考慮して、基準昇温速度に幅を持たせることができる。例えば、基準昇温速度として、ＴｅｍｐＶ．ａｖｅ±３σを設定することができる。
【００１９】
また、吹錬開始を検出するための閾値として、通常吹錬時の吹錬開始前温度：ＴｅｍｐＬと、通常吹錬時の吹錬開始後温度：ＴｅｍｐＨをそれぞれ設定する。吹錬開始前温度：ＴｅｍｐＬは、通常吹錬時の吹錬開始前に通常測定される温度よりも若干高い温度を設定する。また、吹錬開始後温度：ＴｅｍｐＨは、通常吹錬時の吹錬開始後に通常測定される温度よりも若干低い温度を設定する。これらの閾値は、複数の温度計２０間で共通の値とする。なお、吹錬開始前温度：ＴｅｍｐＬ及び吹錬開始後温度：ＴｅｍｐＨは、例えば過去の通常吹錬時の測定値を参考に設定するとよい。
【００２０】
［温度測定、判定］
図４は、本発明の第１実施形態に係る粉塵堆積物の検出方法の手順を示すフローチャート図である。上記のように、温度計２０を予め配置すると共に、基準昇温速度：ＴｅｍｐＶ、吹錬開始前温度：ＴｅｍｐＬ及び通常吹錬時の吹錬開始後温度：ＴｅｍｐＨをそれぞれ設定した後、転炉１で吹錬を開始する。即ち、転炉１内に溶銑を装入したのち、炉口からランス３を挿入し、溶銑浴面に近づけて純酸素ガスを吹き付けると同時に、炉底から不活性ガス、炭酸ガス、又は、純酸素ガス及び冷却ガス等を吹き込み、浴を撹拌しつつ吹錬を開始する。吹錬初期は溶銑中の炭素濃度が高いので、吹き込まれた酸素は炭素と効率よく反応し、一酸化炭素となって脱炭が進む。また、脱炭により発生した一酸化炭素等のＯＧは、転炉ＯＧダクト１１を通して転炉１外へ排出される。また、複数の温度計２０による温度の測定を開始する（ステップＳ１０）。
【００２１】
次に、吹錬の開始を温度計２０による温度測定で検出する（ステップＳ２０）。例えば、複数の温度計２０がそれぞれ温度：Ｔｅｍｐ−ｎ（ｎ＝１〜Ｎの整数）を測定し、測定値を記録する。Ｔｅｍｐ−ｎの測定と記録は一定周期：Ｔｉｍｅ１毎に行う。次に、一定時間：Ｔｉｍｅ１×Ｍの間に、温度：Ｔｅｍｐ−ｎが吹錬開始前温度：ＴｅｍｐＬ以下から吹錬開始後温度：ＴｅｍｐＨ以上に上昇した（即ち、予め設定した吹錬開始温度条件を満たした）温度計２０を抽出する。そして、抽出した温度計２０の全個数に対する割合が予め設定した値（例えば、２０〜６０％）以上となったときに、その時間を、吹錬開始時間：Ｔｉｍｅ−ｓとして検出する。
【００２２】
次に、吹錬開始時間：Ｔｉｍｅ−ｓ（即ち、吹錬開始直後）における、転炉ＯＧダクト１１内の昇温速度及び到達温度をそれぞれ測定する（ステップ３０）。例えば、吹錬開始時間：Ｔｉｍｅ−ｓにおいて、各温度計２０が測定した温度：Ｔｅｍｐ−ｎを、各温度計２０の到達温度：ＴｅｍｐＡ−ｎとする。そして、この到達温度：ＴｅｍｐＡ−ｎと、吹錬開始直前（即ち、吹錬開始時間：Ｔｉｍｅ−ｓから一定時間：Ｔｉｍｅ１×Ｍだけ遡った時間）に各温度計２０が測定した温度：ＴｅｍｐＢ−ｎとから、各温度計２０の昇温速度：ＴｅｍｐＶ−ｎを算出する。即ち、昇温速度：ＴｅｍｐＶ−ｎは、下記の式（１）で示される。
ＴｅｍｐＶ−ｎ＝（ＴｅｍｐＡ−ｎ−ＴｅｍｐＢ−ｎ）／（Ｔｉｍｅ１×Ｍ）…（１）
【００２３】
なお、Ｔｉｍｅ１は、例えば３０〜６０秒程度が好ましい。その理由は、Ｔｉｍｅ１が短すぎると、吹錬開始の検出が各温度計２０で揃わず、吹錬開始時間：Ｔｉｍｅ−ｓの検出が困難になる。また、Ｔｉｍｅ１が長すぎると、Ｔｅｍｐ−Ａｎが毎回昇温し切った値となり、吹錬開始時の昇温速度を適切に算出できないおそれがある。Ｔｉｍｅ１×Ｍは、例えば６０秒〜１８０秒程度である。
【００２４】
次に、各温度計２０で測定された昇温速度：ＴｅｍｐＶ−ｎを、基準昇温速度：ＴｅｍｐＶと比較する。同様に、各温度計２０で測定された到達温度：ＴｅｍｐＡ−ｎを、吹錬開始後温度：ＴｅｍｐＨと比較する（ステップ４０）。
そして、これらの比較の結果から、各温度計２０の昇温速度：ＴｅｍｐＶ−ｎは基準昇温速度：ＴｅｍｐＶに近い値（例えば、ＴｅｍｐＶ．ａｖｅ±３σの範囲内）であり、到達温度：ＴｅｍｐＡ―ｎは吹錬開始後温度：ＴｅｍｐＨよりも高い場合は、粉塵堆積物はほとんど無い（即ち、通常吹錬である）と判定する（ステップ５０）。一方、各温度計２０の昇温速度：ＴｅｍｐＶ−ｎは基準昇温速度：ＴｅｍｐＶから離れた値（例えば、ＴｅｍｐＶ．ａｖｅ±３σの範囲外）であり、或いは、到達温度：ＴｅｍｐＡ―ｎは吹錬開始後温度：ＴｅｍｐＨよりも低い場合は、粉塵堆積物が有ると判定する（ステップ６０）。
【００２５】
例えば図５に示すように、粉塵堆積物５１が温度計２０の上に堆積している場合、ＯＧと温度計２０との間の熱伝導が阻害されるため、温度計２０により測定される温度は低下する。その結果、各温度計２０で測定される昇温速度：ＴｅｍｐＶ−ｎは基準昇温速度：ＴｅｍｐＶと比較して低下する。例えば図６に示すように、粉塵堆積物５１がほとんどない通常吹錬時の温度曲線Ａと比較して、粉塵堆積物５１が有るときの温度曲線Ｂは昇温の傾きが小さくなる。また、粉塵堆積物５１が著しく多い場合には、温度曲線Ｃに示すように、到達温度：ＴｅｍｐＡ−ｎも低下する。この原理に基づき、昇温速度：ＴｅｍｐＶ−ｎ及び到達温度：ＴｅｍｐＡ―ｎの少なくとも一方が顕著に低下した場合、その温度計２０による測定位置には粉塵堆積物が有ると判定する。
【００２６】
［粉塵堆積物の除去］
上記のように粉塵堆積物が有ると判定した場合は、吹錬後に転炉１の操業を一旦停止する（ステップ７０）。そして、転炉ＯＧダクト１１に取り付けられたマンホールを開放して、内部に堆積した粉塵堆積物を除去する（ステップ８０）。ステップ５０又はステップ８０の後は、例えばステップ１０に戻る。
この第１実施形態では、転炉ＯＧダクト１１が本発明の「ガスダクト」に対応し、傾斜部の内側の底面１１ｂが本発明の「壁面」に対応している。
【００２７】
（第１実施形態の効果）
本発明の第１実施形態は、以下の効果を奏する。
（１）転炉ＯＧダクト１１内の壁面に配置された複数の温度計２０で、吹錬開始時のＯＧダクト１１内の昇温速度：ＴｅｍｐＶ−ｎと到達温度：ＴｅｍｐＡ−ｎを測定することができる。そして、これら各値を吹錬毎に測定し、その測定値を基準昇温速度：ＴｅｍｐＶと吹錬開始後温度：ＴｅｍｐＨと比較して、傾向を管理することができる。これにより、転炉ＯＧダクト１１のマンホールを開放して内部を目視で点検することなく、転炉ＯＧダクト１１内の粉塵堆積物の状態を容易に検出することができる。このため、粉塵堆積物が大量に崩落して操業等に支障が生じる前に、転炉ＯＧダクト１１内を適切なタイミングで清掃することが可能になる。
【００２８】
（２）また、複数の温度計２０による測温位置は、転炉ＯＧダクト１１内で最も粉塵堆積物が発生しやすい傾斜部の底面１１ｂである。これにより、粉塵堆積物の存在をより早期に検出することができる。
（３）また、複数の温度計２０のうちの予め設定した個数以上の温度計（例えば、２０〜６０％）が、吹錬開始前温度：ＴｅｍｐＬ以下から吹錬開始後温度：ＴｅｍｐＨ以上への温度変化を測定することによって吹錬の開始を検出する。これにより、吹錬開始を検出するための温度計を別途設ける必要がない。また、複数の温度計２０による温度測定のタイミングを吹錬開始のタイミングに合わせる（同期させる）必要もない。これにより、粉塵堆積物の検出装置の簡素化に寄与することができる。
【００２９】
（４）また、接触式温度計２０に熱電対を用いる場合、その測温部２０ａをダクト鉄皮１１ａの内側に出し、その端子部２０ｂをダクト鉄皮１１ａの外側に出すように、熱電対を鉄皮貫通部に通す。そして、鉄皮貫通部に通された熱電対を例えばコンプレッション・フィッティング等でダクト鉄皮１１ａに固定する。これにより、熱電対の断線等の故障時にも１〜２分程度で交換が可能である。熱電対は、吹錬の合間で十分に交換可能であり、操業に影響を与えることなく、保守点検と機能維持が可能である。
【００３０】
（変形例）
（１）本実施形態では、各温度計２０で測定された昇温速度：ＴｅｍｐＶ−ｎ、及び、到達温度：ＴｅｍｐＡ―ｎについて、一定時間Ｔｉｍｅ２毎の平均値を算出して、平均昇温速度：ＴｅｍｐＶ．ａｖｅ−ｎ、平均到達温度：ＴｅｍｐＡ．ａｖｅ―ｎとしてもよい。そして、これらを一定時間Ｔｉｍｅ２毎に基準値と比較して、傾斜部の底面１１ｂでの粉塵堆積物の状態を判定してもよい。Ｔｉｍｅ２は、基準上適切な値としてよく、例えば１日（２４時間）に設定する。つまり、昇温速度：ＴｅｍｐＶ−ｎ、及び、到達温度：ＴｅｍｐＡ―ｎを少なくとも１日１回確認して、その日々のトレンドを基準するようにしてもよい。このような場合であって、上記の第１実施形態の効果（１）〜（４）と同様の効果を奏する。
【００３１】
（２）また、本実施形態では、上記の平均昇温速度：ＴｅｍｐＶ．ａｖｅ−ｎ、平均到達温度：ＴｅｍｐＡ．ａｖｅ―ｎに基づいて、基準昇温速度：ＴｅｍｐＶ、吹錬開始前温度：ＴｅｍｐＬ、吹錬開始後温度：ＴｅｍｐＨをそれぞれ設定、更新してもよい。これにより、昇温速度：ＴｅｍｐＶ−ｎと到達温度：ＴｅｍｐＡ−ｎの正常、異常を最新の傾向と比較して検出することができる。
【００３２】
（３）また、本実施形態では、例えば図７に示すように、転炉ＯＧダクト１１内の傾斜部であって、底面１１ｂと対向する上面にも熱電対等の温度計２０を配置してもよい。本発明者の知見によれば、底面１１ｂと比べて上面には粉塵堆積物が堆積し難い。このため、温度計２０で転炉ＯＧダクト１１内の温度を測定することによって、底面１１ｂに粉塵堆積物が堆積している場合でも、温度を変動少なく測定することができる。例えば温度計２０と同様に、温度計２０も温度の測定及び記録を一定周期：Ｔｉｍｅ１毎に行うことによって、吹錬開始時間：Ｔｉｍｅ−ｓをさらに精度良く検出することも可能である。
（４）また、本実施形態では、温度計２０は複数ではなく、１つでもよい。このような場合であっても、（温度計２０を複数配置した場合と比べて測温可能な範囲は狭まるものの）上記の第１実施形態の効果（１）（２）（４）と同様の効果を奏する。
【００３３】
（第２実施形態）
（検出装置）
本発明の実施形態では、上述した粉塵堆積物の検出方法の少なくとも一部を検出装置が行っても良い。第２実施形態では、この点について説明する。
図８は、本発明の第２実施形態に係る粉塵堆積物の検出装置２００の構成例を示すブロック図である。この検出装置２００は、転炉ＯＧダクト１１内の粉塵堆積物を検出する検出装置である。図８に示すように、検出装置２００は、例えば、温度計２０と、この温度計２０から送信されてくる温度情報に基づいて各種の処理を行う制御部２１０と、制御部２１０で行った処理の結果を表示するモニター２３０とを備える。温度計２０と制御部２１０との間及び制御部２１０とモニター２３０との間はそれぞれ、例えば有線又は無線で接続されている。
【００３４】
また、制御部２１０は、その機能として、例えば温度情報入力部２１１と、温度情報格納部２１３と、吹錬開始検出部２１５と、測定値算出部２１７と、測定値格納部２１９と、基準値等格納部２２１と、判定部２２３と、判定結果格納部２２５と、判定結果出力部２２７とを有する。
温度情報入力部２１１は、例えば熱電対等の温度計２０から出力されるアナログ信号をデジタル信号に変換（即ち、ＡＤ変換）して、吹錬開始検出部２１５及び測定値算出部２１７で読み込み可能な信号に変換する。温度情報格納部２１３は、例えば熱電対等の複数の温度計２０が出力する温度情報を格納する。吹錬開始検出部２１５は、温度情報格納部２１３に格納された温度情報に基づいて、吹錬開始時間：Ｔｉｍｅ−ｓを検出する。測定値算出部２１７は、温度情報格納部２１３に格納された温度情報に基づいて、吹錬開始時間：Ｔｉｍｅ−ｓ、昇温速度：ＴｅｍｐＶ−ｎ、到達温度：ＴｅｍｐＡ−ｎ等の測定値を算出する。測定値格納部２１９は、測定値算出部２１７が算出した測定値を格納する。基準値等格納部２２１は、上述した基準昇温速度：ＴｅｍｐＶ、吹錬開始前温度：ＴｅｍｐＬ、吹錬開始後温度：ＴｅｍｐＨなどの基準値、閾値を格納する。
【００３５】
判定部２２３は、測定値格納部２１９に格納された測定値と、基準値等格納部２２１に格納された基準値とに基づいて、粉塵堆積物の状態を判定する。判定結果格納部２２５は、判定部２２３による判定結果を格納する。判定結果出力部２２７は、判定結果格納部２２５に格納された判定結果を画像表示信号に変換してモニター２３０に出力する。
温度情報格納部２１３と、測定値格納部２１９と、基準値等格納部２２１と、判定結果格納部２２５は、例えばフラッシュメモリなどの不揮発性メモリ、又はハードディスクなどの磁気記録装置、或いはＤＲＡＭなどの揮発性メモリで構成されている。これら温度情報格納部２１３と、測定値格納部２１９と、基準値等格納部２２１と、判定結果格納部２２５は、同一の記憶装置で構成されていてもよいし、異なる記憶装置で構成されていてもよい。
【００３６】
また、測定値算出部２１７と判定部２２３は、例えば同一の又は異なるＣＰＵ（Central Processing Unit）で構成されている。温度情報入力部２１１と、判定結果出力部２２７は、例えば入出力インターフェースで構成されている。
この検出装置２００では、温度計２０が図７のステップ１０で説明した温度測定（開始）を行う。また、吹錬開始検出部２１５が、ステップ２０で説明した吹錬開始時間：Ｔｉｍｅ−ｓの検出を行う。さらに、測定値算出部２１７が、ステップ３０で説明した昇温速度：ＴｅｍｐＶ−ｎ、到達温度：ＴｅｍｐＡ−ｎの算出を行う。また、判定部２２３が、ステップ４０、５０、６０で説明した粉塵堆積物の状態判定を行う。
【００３７】
（第２実施形態の効果）
本発明の第２実施形態は、第１実施形態の効果（１）〜（４）と同様の効果を奏する。
また、第２実施形態によれば、図４に示したフローチャートのステップ１０、２０、３０、４０、５０、６０を検出装置２００が自動で行う。これにより、オペレータの作業負荷を軽減することができる。
（変形例）
第２実施形態においても、第１実施形態で説明した変形例（１）〜（４）を適用してよい。
【符号の説明】
【００３８】
１  転炉
３  ランス
５  ガス供給管
１１  ダクト
１１ａ  ダクト鉄皮
１１ｂ  底面
１７  冷却装置
１９  集塵機
２０  温度計
２０ａ  測温部
２０ｂ  端子部
５１  粉塵堆積物
１００  転炉設備
２００  検出装置
２１０  制御部
２１１  温度情報入力部
２１３  温度情報格納部
２１５  吹錬開始検出部
２１７  測定値算出部
２１９  測定値格納部
２２１  基準値等格納部
２２３  判定部
２２５  判定結果格納部
２２７  判定結果出力部
２３０  モニター
【図１】
2014051684.tif 000003
【図２】
2014051684.tif 000004
【図３】
2014051684.tif 000005
【図４】
2014051684.tif 000006
【図５】
2014051684.tif 000007
【図６】
2014051684.tif 000008
【図７】
2014051684.tif 000009
【図８】
2014051684.tif 000010